(57)【要約】【課題】貸し出すメダルを一時貯留するメダルタンクを筺体外部に設け、メダルホッパーのスプロケットの回転方向を異ならせて払出通路か、計数通路の何れかの方向にメダルを移送して払い出すことにより、払出通路か、計数通路の何れかの通路へメダルを移送し払い出すことのできるメダル計数払出装置を提供する。【解決手段】筺体の外部後面にメダルを貯留するメダルタンクと、内部に投入する開閉可能な計数扉と、メダルを１枚ずつ貸し出す、または１枚ずつ取り込み回転するスプロケットと、メダルが通過する払出通路と、計数通路とに、移送されたメダルを、当接によって払出通路か、計数通路かの何れかへと案内する複数の案内ピンと、メダルの通過を計数する計数センサと、を有した計数払出部と、を備え、前記計数払出部に備わるスプロケットの回転方向を異ならせて、払出通路又か、計数通路かの何れかにメダルを払い出す。【選択図】図２
2009240460.tif 000002
【特許請求の範囲】
【請求項１】
遊技台に隣接して設置されるメダル計数払出装置において、
前記メダル計数払出装置の外部後面にメダルを貯留するメダルタンクと、
前記メダル計数払出装置の前面からメダルを内部に投入する開閉可能な計数扉と、
メダルを１枚ずつ貸し出す、または１枚ずつ取り込むスプロケットと、
メダルを貸し出す時に、メダルが通過する払出通路と、
メダルの計数時に、メダルが通過する計数通路と、を含む通路部と、
スプロケットで１枚ずつ貸し出す、または１枚ずつ取り込んだメダルを、払出通路か、計数通路か、の何れかへと案内する通路部に突出させた複数の案内ピンと、
払出通路と計数通路にそれぞれ設けた、メダルの通過を計数する計数センサと、を有した計数払出部と、
を備え、
スプロケットの回転方向を異ならせることで、払出通路か、計数通路かの何れかにメダルを払い出すことを特徴とするメダル計数払出装置。
【請求項２】
前記計数センサの計数結果に基づいて、前記スプロケットの回転方向を異ならせることを特徴とする請求項１に記載のメダル計数払出装置。
【請求項３】
前記計数払出部から払い出されたメダルの真偽を検知して振り分ける、不正検知振分部を備えていることを特徴とする請求項１に記載のメダル計数払出装置。
【発明の詳細な説明】
【技術分野】
【０００１】
本発明は遊技場に設置される複数台の遊技台（スロットマシン）毎に隣接して設置される遊技台で使用されるメダルを、遊技客に貸し出すと共に、遊技客が取得したメダルを計数する機能を有したメダル計数払出装置に関する。
【背景技術】
【０００２】
従来、遊技客が遊技を行った結果として遊技台から払い出される多量のメダルを計数する際には、例えば、遊技場に直線的に連列して設置される複数の遊技台及びメダル貸出機から成る遊技島の島端の数箇所に設置されている計数機にて計数を行っていた。
【０００３】
近年では、遊技台で遊技を行った遊技客が、遊技島端に設置された計数機に多量のメダルを収容した重量のある容器を運ぶ労力を考慮して、遊技島に設置された複数の遊技台に隣接して設置されるメダル貸出機と計数機とを混在するように設置することにより、遊技客は遊技台から長い距離を重量のあるメダルを収容した容器を持って移動することなくメダルを計数することが可能な構成としては文献１にて開示されている。
【０００４】
また、メダル貸出機と計数機を混在させた遊技島の構成とはせずに、遊技客にメダルを貸し出すメダル貸出機の機能と、遊技客が獲得したメダルを計数する計数機の機能を備えたメダル装置（メダル計数払出装置）が文献２にて開示されている。
【０００５】
しかしながら、遊技島に設置された複数の遊技台に隣接して設置されるメダル貸出機と、メダルの計数機を混在させて配置した遊技島の構成では、遊技島の長手方向に複数台設置される遊技台の数が減少してしまい遊技店にとっては、遊技客が減り利益等に影響を及ぼす可能性がある。
【０００６】
また、メダル貸出機と計数機の機能を備えたメダル装置（メダル計数払出装置）としての構成は、遊技客に払い出すメダルをメダル装置の内部に常に貯留しているため、不正行為によって装置内のメダルを抜き取る等の危険性があった。
【０００７】
さらに、一通路にメダルを払い出すホッパーを使用して貸し出しと、計数を行う場合には、メダルを貸し出す払出通路と、遊技客が取得したメダルを計数する計数通路とを切り替える、振り分け機構設けることとなり構造が複雑になることで、コスト高となっていた。
また、偽のメダルを故意に計数する不正行為によっての遊技場への損害が問題となっていた。
【特許文献１】特開２００１−３２１５５２
【特許文献２】特開平１１−２２６２３４
【発明の開示】
【発明が解決しようとする課題】
【０００８】
本発明は、上記した課題を解決しようとするもので、貸し出すメダルを一時貯留するメダルタンクを筺体外部に設け、メダルホッパーに設けた１枚ずつ貸し出す、または１枚ずつ取り込むスプロケットの回転方向を異ならせることで払出通路か、計数通路の何れかの方向にメダルを移送して払い出すことにより、別途通路切り替え機構を項けることなく払出通路か、計数通路の何れかの通路へメダルを移送し払い出すことが可能となる。
【０００９】
また、貸し出されるメダルの計数結果に基づいて、前記スプロケットの回転方向を異ならせてメダルを貸し出す時に通過する払出通路から、メダルの計数時に通過する計数通路にメダルの払い出す方向を替えてメダルを払い出すことが可能となる。
【００１０】
さらに、前記計数払出部から払い出されたメダルの真偽を検知する不正検知振分部により偽のメダルを振り分けることが可能なメダル計数払出装置を提供することを目的とする。
【課題を解決するための手段】
【００１１】
上記目的を達成するため本発明は、遊技台に隣接して設置されるメダル計数払出装置において、前記メダル計数払出装置の外部後面にメダルを貯留するメダルタンクと、前記メダル計数払出装置の前面からメダルを内部に投入する開閉可能な計数扉と、メダルを１枚ずつ貸し出す、または１枚ずつ取り込むスプロケットと、メダルを貸し出す時に、メダルが通過する払出通路と、メダルの計数時に、メダルが通過する計数通路と、を含む通路部と、スプロケットで１枚ずつ貸し出す、または１枚ずつ取り込んだメダルを、払出通路か、計数通路か、の何れかへと案内する通路部に突出させた複数の案内ピンと、払出通路と計数通路にそれぞれ設けた、メダルの通過を計数する計数センサと、を有した計数払出部と、を備え、スプロケットの回転方向を異ならせることで、払出通路か、計数通路かの何れかにメダルを払い出す。
【００１２】
また、前記計数センサの計数結果に基づいて、前記スプロケットの回転方向を異ならせる。
【００１３】
さらに、前記計数払出部から払い出されたメダルの真偽を検知して振り分ける、不正検知振分部を備えていることを特徴とする。
【発明の効果】
【００１４】
本発明のメダル計数払出装置によれば、筺体内に遊技客に払い出すメダルを筺体の外部にメダルタンクを設けることにより、前面側から筺体内に貯留されているメダルを不正に払い出す不正行為を防止することが可能である。
【００１５】
また、メダルを１枚ずつ貸し出す、または１枚ずつ取り込むスプロケットの回転方向を異ならせることによって、遊技客へのメダルの貸し出しを行うか、遊技客が取得したメダルを計数するか、の何れかの方向にメダルを移送し払い出すことが可能となり、別途メダルの払い出し通路切り替え機構を設けることなく、遊技客へのメダルの貸し出しと、計数を行うことがで、コストダウンが可能となる。
【００１６】
さらに、計数されたメダルの真偽を不正検知振分部により、偽のメダルを検知して振り分けて、真のメダルの計数結果のみを遊技客に報知することにより、遊技店における不正行為による損害を防ぐことが可能となる。
【発明を実施するための最良の形態】
【００１７】
以下、本発明の実施例について図面を参照しながら説明する。
【００１８】
図１〜５は本発明に係る、メダル計数払出装置１とメダル供給ライン３０からなる遊技設備の例である。
【００１９】
図１は実施例の遊技設備の斜視図であり、遊技台（不図示）に隣接して設置されるメダル計数払出装置１の前面上部には、紙幣を受け付ける紙幣投入口４と、残金やエラー内容を表示する表示部３と、会員カードを挿入するカード挿入口５と、を有した上部パネル２を設け、該上部パネル２の下方であって前記メダル計数払出装置１の前面の略中央には、遊技客が遊技機にて取得したメダルを投入する開閉可能な計数扉６と、該計数扉６の下方の前記メダル計数払出装置１の前面下部には遊技客へ貸し出すメダルを遊技台へ供給する供給部８を前面に備えた下部パネル７と、がメダル計数払出装置１の前面から着脱可能に備わる。
【００２０】
図２は実施例のメダル計数払出装置１の内部構成を表す平面図であり、前記上部パネル２の後方にメダル計数払出装置１の動作を制御する制御部１１と、前記計数扉６の下方であって前記下部パネル７に備わる供給部８の後方には、メダルを払出すメダルホッパー１２と、該メダルホッパー１２の上方であって前記メダル計数払出装置１の筺体外部の後面にはメダル供給ライン３０からのメダルを一時貯留するメダルタンク９と、前記メダルホッパー１２の下方であって前記メダル計数払出装置１の後面にはメダルホッパー１２から払い出されたメダルを振り分ける不正検知振分部１０と、前記メダル計数払出装置１の下部であって前記メダルホッパー１２の下方に前記不正検知振分部１０で不正メダルとして振り分けられたメダルを貯留する不正メダル貯留部１４が備わる。
【００２１】
図３及び図４は、前記メダル計数払出装置１の内部構造の部分断面図であり、前記メダル計数払出装置１の筺体外部の後面に前記メダルタンク９の下部に前記メダル計数払出装置１の筐体内部と連通するメダルタンク開口部９ｂと、該メダルタンク開口部９ｂには、該メダルタンク９に貯留されているメダルを筺体内部への排出を開閉によって制御するメダルタンクシャッター９ａが備わる。
【００２２】
また、前記不正検知振分部１０の内部には前記メダルホッパー１２から払い出されたメダルを、前記メダルホッパー１２に備わる計数払出部２０（後述する図５参照）に備わる真偽のメダルを検知する不正検知センサ２４の検知の結果に基づき、振分部ソレノイド１０ｂによって不正検知振分部シャッター１０ａを可動させて前記不正メダル貯留部１４への排出又は、前記メダル計数払出装置１の背面側の外部である遊技島内（不図示）に排出するために通路を切り替える。
【００２３】
さらに、前記メダル計数払出装置１の前面に備わる、遊技客が取得したメダルを筺体内に投入するため開閉可能とした前記計数扉６は、施錠鍵６ａを設けることにより、特定の人員（遊技場店員等）のみが施錠鍵６ａを解除可能とすることにより、不必要な開閉による不正行為を防止することが可能となる。さらに、前記計数扉６には扉の開閉を検知する開閉センサ６ｂが備わる。
【００２４】
図５（ａ）、（ｂ）は、前記メダル計数払出装置１の筺体内に備わる計数払出部２０の平面図であり、上面略中央には、前記計数払出部２０の背面に備わる駆動部２８（図４参照）によって回転可能とし、内周面にメダルＭが寝た状態で通過可能で、メダルＭの外周径よりも大径としたスプロケット開口部２１ａを複数（実施例では３箇所）有し、メダルＭをスプロケット２１の回転方向に移送するスプロケット２１と、該スプロケット２１下方にはメダルＭが寝た状態で移動が可能な本発明としての払出通路としてのメダル通路２５を有し、該メダル通路２５の図５（ａ）の右側には計数通路２６と、左側には払出通路２７が備わる。
【００２５】
また、前記スプロケット２１の下方のメダル通路２５の左右方向には、該メダル通路２５上面から上方のスプロケット２１に向けて該スプロケット２１に干渉することなく突出させた、寝た状態で移動してくるメダルＭの移動方向を当接によって規制し、前記計数通路２６か、払出通路２７か、の何れかの方向に案内する案内ピン２２ａ、２２ｂがそれぞれ複数（実施例では各２本）備わる。
【００２６】
さらに、前記計数通路部２６と、払出通路２７には、  前記スプロケット２１の回転によって移送し、前記案内ピン２２ａ、２２ｂで案内されたメダルＭの通過を検知し計数する計数センサ２３ａ、２３ｂが備わる。
【００２７】
つぎに、本発明のメダル計数払出装置１で遊技客にメダルＭを貸し出す動作を図３及び図５（ａ）に基づき説明する。遊技客が貨幣又はカードを、前記紙幣投入口４又は前記カード挿入口５に投入するとメダルＭの払出信号が制御部１１より出力され、払出信号によりメダルタンク９に備わるメダルタンクシャッター９ａが開放されメダルタンク９内に貯留されているメダルＭをメダル計数払出装置１内に備わるホッパータンク１３内へ払い出す。
【００２８】
なお、メダルタンク９からホッパータンク１３へのメダルＭの払出枚数は、遊技客に貸し出すメダルＭの枚数（例えば１０００円にて５０枚のメダルＭが借り受けられるとすると）に若干プラスした枚数（例えば約６０枚）をメダルタンク９からメダルタンク１３へ払い出す際のメダルタンクシャッター９ａの開放時間を予め設定しておく。
【００２９】
つぎに、ホッパータンク１３はメダルＭの受け入れをメダル検知センサ（不図示）等により検知すると図５（ａ）に示すスプロケット２１が反時計回りの貸し出し回転方向Ａに回転すると、前記ホッパータンク１３に貯留されているメダルＭは前記スプロケット２１のスプロケット開口部２１ａから１枚ずつ取り込まれ、該スプロケット２１の回転によってメダルＭは図５（ａ）の左側に移送され前記メダル通路２５に突出した案内ピン２２ｂに当接しながら前記払出通路２７へ案内される。メダルＭが該払出通路２７を通過する際に払出計数センサ２３ｂにて通過したメダルＭの枚数を計数し、特定枚数（例えば５０枚）の通過を計数した後、スプロケット２１を停止させる。これにより、遊技客が例えば１０００円を投入した際には５０枚のメダルＭを計数払出部２０の左側に位置する払出通路２７を経由し下部パネル７に備わる供給部８から遊技台（不図示）へ払い出す。
【００３０】
また、メダルタンク９からホッパータンク１３に払い出された例えば約６０枚のうち、遊技客へ貸し出した５０枚を差し引いた残枚数約１０枚は、メダルを貸し出す際の前記スプロケット２１の貸し出し回転方向Ａとは逆回転の図５（ｂ）の計数回転方向Ｂに回転させることにより、メダルの移送方向が左側に切り替わり計数通路２６を通過し、不正検知振分部１０を経由して前記メダル計数払出装置１の裏面に設置されている遊技島（不図示）に回収される。なお、メダル貸し出し処理時には、前記不正検知振分部１０に備わる不正検知振分部シャッター１０ａはメダルを遊技島内に回収する方向に切り替わっている。
【００３１】
このことにより、遊技客に貸し出した後のホッパータンク１３内に残ったメダルは、前記スプロケット２１を貸し出し回転方向Ａとは逆の計数回転方向Ｂに回転させて回収する。ことにより、メダル計数払出装置１が動作中以外の時には常にメダルホッパータンク１３を空にすることにより、次の動作（貸し出し又は、計数）への移行が短時間で行える。
【００３２】
つぎに本発明のメダル計数払出装置１で遊技客が取得したメダルを計数する際の動作について図４及び図５（ｂ）に基づいて説明する。遊技客が取得したメダルを遊技場店員等の特定の人員によって計数扉６に備わる施錠鍵６ａを解除し、前記計数扉６を開口してメダルを筺体内に投入する。前記計数扉６が開口されたことを開閉センサ６ｂが検知すると制御部１１から計数動作に移行する信号が出力され計数できる状態になる。
【００３３】
前記制御部１１から計数動作に移行する信号が出力されるとメダルホッパー１２の計数払出部２０に備わるスプロケット２１が時計回りの計数回転方向Ｂに回転し始める。
投入されたメダルはメダルホッパータンク１３に貯留されると同時に、前記スプロケット２１のスプロケット開口部２１ａから１枚ずつ取り込まれ、該スプロケット２１の回転により図５（ｂ）の右側に移送され前記通路２５に突出した案内ピン２２ａに当接しながら前記計数通路２６へ案内される。メダルが該計数通路２６を通過する際に計数センサ２３ａにて通過したメダルの枚数を計数する。
【００３４】
前記計数センサ２３ａにて計数されたメダルは不正検知センサ２４にてメダルの真偽を選別し、前記不正検知センサ２４の選別結果に基づき、不正検知振分部１０に備わる不正検知振分部シャッター１０ａを真のメダルである場合は遊技島内に回収する方向に通路を切り替え、偽のメダルの場合は前記メダル計数払出装置１の下部に備わる不正メダル貯留部１４の方向に通路を切り替える。
【００３５】
また、前記計数センサ２３ａにて計数した全てのメダル数から前記不正検知センサ２４で偽のメダルの枚数を差し引いた真のメダルの枚数を遊技客に対して表示部３（図１参照）等で報知することにより、不正に偽のメダルを故意に計数しようとしても、真のメダルの枚数のみを計数結果として報知するため、遊技場は不正なメダルを用いての不正行為に対する損害を防ぐことが可能となる。
【図面の簡単な説明】
【００３６】
【図１】本発明に係わるメダル計数払出装置が備わる遊技設備の一部を示す斜視図である。
【図２】本発明に係わるメダル計数払出装置の内部構成を示す平面図である。
【図３】本発明に係わるメダル計数払出装置の内部構成断面図を示す平面図である。
【図４】本発明に係わるメダル計数払出装置の内部構成断面図を示す平面図である。
【図５】（ａ）は本発明に係わるメダル計数払出装置の内部に備わる計数払出部のメダルを貸し出す状態を示す平面図であり、（ｂ）は計数払出部でメダルを計数する状態を示す平面図である。
【符号の説明】
【００３７】
１  メダル計数払出装置
２  上部パネル
３  表示部
４  紙幣投入口
５  カード挿入口
６  計数扉
６ａ  施錠鍵
６ｂ  開閉センサ
７  下部パネル
８  供給部
９  メダルタンク
９ａ  メダルタンクシャッター
９ｂ  メダルタンク開口部
１０  不正検知振分部
１０ａ  不正検知振分部シャッター
１０ｂ  振分部ソレノイド
１１  制御部
１２  メダルホッパー
１３  メダルホッパータンク
１４  不正メダル貯留部
２０  計数払出部
２１  スプロケット
２１ａ  スプロケット開口部
２２ａ  案内ピン
２２ｂ  案内ピン
２３ａ  計数側計数センサ
２３ｂ  払出側計数センサ
２４  不正検知センサ
２５  メダル通路
２６  計数通路
２７  払出通路
２８  駆動部（モータ）
３０  メダル供給ライン
３１  振分シュート
３２  蛇腹
Ａ  貸し出し回転方向
Ｂ  計数回転方向
Ｍ  メダル
【図１】
2009240460.tif 000003
【図２】
2009240460.tif 000004
【図３】
2009240460.tif 000005
【図４】
2009240460.tif 000006
【図５】
2009240460.tif 000007